(57)【要約】【課題】特に蓋体の角に形成されるフック部材を、箱体の角部に掛合させることにより、輪ゴムを使用せずとも蓋体と箱体とを組み合わせる紙製容器を提供する。【解決手段】  四辺形の底面と、該底面の周囲から斜め上方に向かって延出する壁部と、該壁部の周囲から延出する強化縁部と、該強化縁部の角に形成される少なくとも２つの角部とを備える箱体と、四辺形のカバー部と、該カバー部の周辺から延出する４つの当接縁部と、該各当接縁部の外側辺から延出する掛合縁部と、該隣り合う２つの当接縁部と隣り合う２つの掛合縁部との間に形成されるとともに、該角部を掛止する少なくとも２つのフック部材とを備える蓋体とを有するものである。【選択図】図１
0003165780.tif 000002
【実用新案登録請求の範囲】
【請求項１】
四辺形の底面と、該底面の周囲から斜め上方に向かって延出する壁部と、該壁部の周囲から延出する強化縁部と、該強化縁部の角に形成される少なくとも２つの角部とを備える箱体と、
四辺形のカバー部と、該カバー部の周辺から延出する４つの当接縁部と、該各当接縁部の外側辺から延出する掛合縁部と、該隣り合う２つの当接縁部と隣り合う２つの掛合縁部との間に形成されるとともに、該角部を掛止する少なくとも２つのフック部材とを備える蓋体とを有することを特徴とする紙製容器。
【請求項２】
前記フック部材は、前記当接縁部の一端から延出して隣り合う他の当接縁部に接着されると共に、前記角部に当接される当接リブと、前記掛合縁部の一端から延出して隣り合う他の掛合縁部に接着されると共に、押されると該角部に掛合される掛合リブとを有することを特徴とする請求項１に記載の紙製容器。
【請求項３】
前記掛合リブは、前記当接リブの近傍における掛合リブの内弧辺から延出すると共に、前記角部の下面に当接される突出部を備えることを特徴とする請求項２に記載の紙製容器。
【請求項４】
前記掛合リブはさらに、前記当接リブと反対する側の外側辺から延出する折り返しリブを有することを特徴とする請求項２又は３に記載の紙製容器。
【請求項５】
前記蓋体の１つの掛合縁部の外側辺が箱体の強化縁部に連結され、全体が一体成形となることを特徴とする請求項１乃至４の何れか１項に記載の紙製容器。
【請求項６】
前記蓋体は、分離可能に前記箱体に被嵌されると共に、前記４つの角部と掛合する４つのフック部材を備えることを特徴とする請求項１乃至４の何れか１項に記載の紙製容器。
【考案の詳細な説明】
【技術分野】
【０００１】
本考案は、特に食べ物を入れる紙製容器に関するものである。
【背景技術】
【０００２】
近年では、環境に配慮し、食べ物を入れる容器（例えば、弁当箱など）をプラスチック製に変えて紙製容器を使用する店や個人が多くなってきている。図１２に示すように、既存の紙製容器は、上部に開口があり、内部に食べ物を入れられる紙製の本体５１と、該本体５１の上部に設置され、該開口に被嵌されるプラスチック製の蓋体５２とを有し、使用するときは、食べ物が漏れないように輪ゴム５３により該蓋体と本体とを固く締めつける必要がある。
【考案の概要】
【考案が解決しようとする課題】
【０００３】
このような既存の紙製容器は、蓋体と本体をしっかりと組み合わせるために、少なくとも１つの輪ゴムを使う必要があるので、手間がかかるだけでなく、人件費などのコストがかかってしまうと共に、輪ゴム及びプラスチック製の蓋体は、自然分解不可能なゴミであるので、環境に悪影響を及ぼしてしまうという問題があった。
【課題を解決するための手段】
【０００４】
本考案に係る紙製容器は、四辺形の底面と、該底面の周囲から斜め上方に向かって延出する壁部と、該壁部の周囲から延出する強化縁部と、該強化縁部の角に形成される少なくとも２つの角部とを備える箱体と、四辺形のカバー部と、該カバー部の周辺から延出する４つの当接縁部と、該各当接縁部の外側辺から延出する掛合縁部と、該隣り合う２つの当接縁部と隣り合う２つの掛合縁部との間に形成されるとともに、該角部を掛止する少なくとも２つのフック部材とを備える蓋体とを有する。
【０００５】
前記フック部材は、前記当接縁部の一端から延出して隣り合う他の当接縁部に接着されると共に、前記角部に当接される当接リブと、前記掛合縁部の一端から延出して隣り合う他の掛合縁部に接着されると共に、押されると該角部に掛合される掛合リブとを有する。
【０００６】
前記掛合リブは、前記当接リブの近傍における掛合リブの内弧辺から延出すると共に、前記角部の下面に当接される突出部を備えることが好ましい。
【０００７】
前記掛合リブはさらに、前記当接リブと反対する側の外側辺から折り返しリブが延設されても構わない。
【０００８】
前記蓋体の１つの掛合縁部の外側辺を箱体の強化縁部に連結し、全体を一体成形としても構わない。
【０００９】
前記蓋体は、分離可能に前記箱体に被嵌される共に、前記４つの角部と掛合する４つのフック部材を備えるものである。
【考案の効果】
【００１０】
本考案に係る紙製容器は上記の課題を解決するものであり、紙質材料からなる蓋体の角に形成されるフック部材を、箱体の角部に掛合される構成ことにより、輪ゴムを使用しなくても簡単に蓋体と箱体とを組み合わせることができる。
【図面の簡単な説明】
【００１１】
【図１】本考案に係る紙製容器における第一実施例の部分分解図である。
【図２】本考案に係る紙製容器における第一実施例のフック部材が角部に掛合された状態を示す部分拡大斜視図である。
【図３】本考案に係る紙製容器における第一実施例のフック部材の部分拡大展開図である。
【図４】本考案に係る紙製容器における第一実施例のフック部材が角部に掛合される作動状態を示す部分拡大断面図である。
【図５】本考案に係る紙製容器における第二実施例の斜視図である。
【図６】本考案に係る紙製容器における第三実施例の部分分解図である。
【図７】本考案に係る紙製容器における第三実施例のフック部材が角部に掛合された状態を示す部分拡大斜視図である。
【図８】本考案に係る紙製容器における第三実施例のフック部材の部分拡大展開図である。
【図９】本考案に係る紙製容器における第三実施例のフック部材が角部に掛合される作動状態を示す部分拡大断面図である。
【図１０】本考案に係る紙製容器における第三実施例のフック部材が角部から解放される作動状態を示す部分拡大断面図である。
【図１１】本考案に係る紙製容器における第四実施例の斜視図である。
【図１２】既存の紙製容器を示す斜視図である。
【考案を実施するための形態】
【００１２】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１３】
図１乃至図３に示すように、本考案に係る紙製容器における第一実施例は、箱体１０と、蓋体２０と有し、その内、該箱体１０は、紙質材料からなり、上部に開口が形成される共に、内部に食べ物などを入れる空間を有する四辺形の底面１１と、該底面１１の周囲から斜め上方に向かって延出する壁部１２と、該壁部１２の周囲から斜め下方に向かって延出する強化縁部１３と、該強化縁部１３の４つの角にそれぞれ形成される円弧状の角部１４とを備え、尚、該底面１１には、該箱体１０の内部空間を分割するように複数の間隔リブ１１０が設けられることが好ましい。
【００１４】
第一実施例における蓋体２０は、紙質材料からなり、分離可能に前記箱体１０をカバーするように組み合わせれるものであり、該箱体１０の開口をカバーするカバー部２１と、細長状でそれぞれ該カバー部２１の周辺から斜め下方に向かって延出すると共に、前記強化縁部１３に当接される４つの当接縁部２２と、それぞれ該当接縁部２２の外側辺から斜め下方に向かって延出すると共に、該強化縁部１３と掛合される４つの掛合縁部２３と、該カバー部２１の４つの角に位置すると共に、前記４つの角部１４と掛合される４つのフック部材２４とを備えるものである。
【００１５】
前記フック部材２４は、当接リブ２４０と、掛合リブ２４２とを備え、該当接リブ２４０は、弧状を呈し、前記当接縁部２２をカバー部２１に対して傾斜状態とするために、両端がそれぞれ隣接した２つの当接縁部２２に接着されることがあり、使用時、該当接リブ２４０の下面が前記角部１４の上面に当接されることができる。さらに、該各当接リブ２４０は、一端が当接縁部２２の端部から延出すると共に、他端が隣の当接縁部２２の内面に接着されることが好ましい。一方、前記掛合リブ２４２には、弧状を呈し、該接着端部２４１より長く、前記掛合縁部２３を当接縁部２２に対して傾斜状態とするために、両端がそれぞれ隣接された２つの掛合縁部２３に接着されることがある。さらに、該各掛合リブ２４２は、一端が掛合縁部２３から延出すると共に、他端が隣の掛合縁部２３の内面に接着されることが好ましい。
【００１６】
図４に示すように、フック部材２４を角部１４に掛合手段については、先ず掛合リブ２４２を該角部１４の下方に折り返すと共に、該角部１４を当接リブ２４０と掛合リブ２４２との間に位置させればよい。なお、前記当接リブ２４０の近傍における、前記掛合リブ２４２の内弧辺に突出部２４４が延設されることが好ましく、該突出部２４４は、掛合リブ２４２の押されることにより前記角部１４の下面に当接されるので、フック部材２４はしっかりと角部１４に掛合される。
【００１７】
本考案に係る紙製容器における第一実施例を使用する時は、箱体１０の内部に食べ物を入れてから蓋体２０を箱体１０の上部に被せ、その後、蓋体２０の角にそれぞれ位置する４つのフック部材２４をそれぞれ押し込むと、従来のような輪ゴムを使用せずに、該蓋体２０をがしっかりと箱体１０に組み合わせることができる。
【００１８】
図５に示すように、本考案に係る紙製容器の第二実施例おいては、箱体１０及び蓋体２０の構成が第一実施例と同一であるが、その蓋体２０の１つの掛合縁部２３の外側辺が箱体１０の強化縁部１３に連結され、容器全体が一体成形となっている点において異なる。
【００１９】
図６乃至図８に示すように、本考案に係る紙製容器の第三実施例おいては、箱体１０及び蓋体２０の構成が第一実施例と同一であるが、掛合リブ２４２が異なると共に、第三実施例の掛合リブ２４２における、当接リブ２４０と反対する側の外側辺に折り返しリブ２４５が延設される。
【００２０】
図９及び図１０に示すように、蓋体２０を箱体１０に組み合わせる時は、先ず蓋体２０を箱体１０の上部に被せ、その後、蓋体２０の角にある４つのフック部材２４をそれぞれ押し込むと、当接リブ２４０が角部１４の上面に当接されると共に、掛合リブ２４２が角部１４の下面に当接され、更に、該角部１４が当接リブ２４０と掛合リブ２４２との間に挟まれるので、蓋体２０を箱体１０の上部にしっかりと組み合わせることができる。一方、前記蓋体２０を箱体１０から取り外す時は、フック部材２４の折り返しリブ２４５部分を引っ張って掛合リブ２４２を角部１４の内面から外し、該フック部材２４を角部１４から解放させれば、蓋体２０を箱体１０から取り外すことができる。
【００２１】
図１１に示すように、本考案に係る紙製容器の第四実施例おいては、箱体１０の構成が第三実施例と同一であるが、蓋体２０における１つの掛合縁部２３の外側辺が箱体１０の強化縁部１３に連結され、容器全体が一体成形となっていると共に、蓋体２０における、箱体１０との連結部と反対する側の２つの角にそれぞれフック部材２４を有する点において異なる。
【産業上の利用可能性】
【００２２】
本考案は、紙質材料からなる蓋体の角に形成されるフック部材が、箱体の角部に掛合されることにより、輪ゴムを使用せずとも、蓋体と箱体とを組み合わせることができる。
【符号の説明】
【００２３】
１０          箱体
１１          底面
１１０         間隔リブ
１２          壁部
１３          強化縁部
１４          角部
２０          蓋体
２１          カバー部
２２          当接縁部
２３          掛合縁部
２４          フック部材
２４０         当接リブ
２４１         接着端部
２４２         掛合リブ
２４３         粘着端部
２４４         突出部
２４５         折り返しリブ
５１          本体
５２          蓋体
５３          輪ゴム
【図１】
0003165780.tif 000003
【図２】
0003165780.tif 000004
【図３】
0003165780.tif 000005
【図４】
0003165780.tif 000006
【図５】
0003165780.tif 000007
【図６】
0003165780.tif 000008
【図７】
0003165780.tif 000009
【図８】
0003165780.tif 000010
【図９】
0003165780.tif 000011
【図１０】
0003165780.tif 000012
【図１１】
0003165780.tif 000013
【図１２】
0003165780.tif 000014